(57)【要約】【課題】  冷蔵保存陳列ケースドアおよび製造方法を提供する。【解決手段】  冷蔵保存陳列キャビネットＩＧドアは、各々単一の実質的同質重合体／共重合体射出成形部材として形成された内側および外側多角形環状枠を含む。断熱ガラスユニットが内側および外側枠部材に接着されており、それらの枠部材は接着剤硬化／凝固中に従来のクランプ、ビス等を使用しない周囲スナップ締結機構により強力に一緒に保持される。陳列ドアにより担持される従来の枢支ピンは、陳列ケース内であるが単一位置に枠の開口にスナップ固定可能な案内および位置決め部材を介して枢支ピン開口内に一意に案内される。【選択図】      図１
2008080124.tif 000002
【特許請求の範囲】
【請求項１】
それぞれ内側および外側実質的多角形境界部を規定する内側および外側実質的多角形環状開口枠と、前記多角形境界部間に配置された周縁部を有するとともに前記外側枠開口を閉鎖する実質的多角形ガラスアセンブリと、前記枠のうちの少なくとも一方を前記ガラスアセンブリに周囲接着する手段と、前記接着手段の固化／硬化に伴って前記枠を互いに周囲強力にスナップ固定して前記内側および外側枠を実質的に不動にする手段とを備え、前記外側枠がそれぞれ内側および外側実質的多角形開口を規定し、前記外側実質的多角形枠が単一の実質的同質重合体／共重合体射出成形部材であり、前記内側実質的多角形枠が重合体／共重合体材料で形成されている、環境制御された区画にアクセスするのに特に適した密封装置。
【請求項２】
前記外側枠が前記射出成形外側部材の一体実質的同質重合体／共重合体射出成形部として把手を含む請求項１に記載の密封装置。
【請求項３】
第２の前記枠を前記ガラスアセンブリに周囲接着する手段を含み、前記ガラスアセンブリが互いに離間関係にある遠隔対向ガラス片を含み、前記一方の枠が前記ガラス片のうちの一方に接着され、前記第２の枠が第２の前記ガラス片に接着され、前記スナップ固定手段が、第２の枠接着手段の固化／硬化に伴い、前記内側および外側枠ならびに前記ガラスアセンブリをさらに強力に実質的に不動にする請求項１に記載の密封装置。
【請求項４】
前記内側および外側枠が各々、前記ガラスアセンブリと共に集合的にチャンバを規定する周壁を含み、各周壁が前記チャンバ内に突出するフランジを有するとともに、前記スナップ固定手段が、前記内側および外側枠を互いに比較的強力にスナップ固定する前記それぞれ内側および外側枠フランジの協働第１および第２のスナップ固定手段を含む請求項１に記載の密封装置。
【請求項５】
前記内側および外側枠が各々、前記ガラスアセンブリと共に集合的にチャンバを規定する周壁を含み、各周壁が前記チャンバ内に突出するフランジを有し、前記スナップ固定手段が、前記内側および外側枠を互いに比較的強力にスナップ固定する前記それぞれ内側および外側枠フランジの協働第１および第２のスナップ固定手段を含むとともに、前記第１および第２のスナップ固定手段のうちの少なくとも一方が、前記フランジの他方にスナップ固定された前記フランジの一方の鼻部を含む請求項１に記載の密封装置。
【請求項６】
前記内側枠を実質的に連続して縁取る周囲シールと、前記周囲シールを前記内側枠にスナップ固定する協働手段とを含む請求項１に記載の密封装置。
【請求項７】
前記内側および外側枠が各々、前記ガラスアセンブリと共に集合的にチャンバを規定する周壁を含み、各周壁が前記チャンバ内に突出するフランジを有するとともに、前記スナップ固定手段が、前記内側および外側枠を互いに比較的強力にスナップ固定する前記それぞれ内側および外側枠フランジの協働第１および第２のスナップ固定手段を含む請求項３に記載の密封装置。
【請求項８】
前記内側および外側枠が各々、前記ガラスアセンブリと共に集合的にチャンバを規定する周壁を含み、各周壁が前記チャンバ内に突出するフランジを有し、前記スナップ固定手段が、前記内側および外側枠を互いに比較的強力にスナップ固定する前記それぞれ内側および外側枠フランジの協働第１および第２のスナップ固定手段を含むとともに、前記第１および第２のスナップ固定手段のうちの少なくとも一方が、前記フランジの他方にスナップ固定された前記フランジの一方の鼻部を含む請求項３に記載の密封装置。
【請求項９】
前記内側枠を実質的に連続して縁取る周囲シールと、前記周囲シールを前記内側枠にスナップ固定する協働手段とを含む請求項３に記載の密封装置。
【請求項１０】
前記内側枠を実質的に連続して縁取る周囲封止部材を含み、前記周囲封止部材が内側および外側表面部と対向周縁部とを含み、さらに前記内側枠と周囲封止部材外側表面部が各々、前記周囲封止部材を前記内側枠にスナップ固定する協働第１および第２のスナップ固定手段のうちの少なくとも一方を有する請求項３に記載の密封装置。
【請求項１１】
前記外側枠が前記射出成形外側部材の一体実質的同質重合体／共重合体射出成形部として把手を含む請求項３に記載の密封装置。
【請求項１２】
前記外側枠が前記射出成形外側部材の一体実質的同質重合体／共重合体射出成形部として把手を含む請求項７に記載の密封装置。
【請求項１３】
前記外側枠が前記射出成形外側部材の一体実質的同質重合体／共重合体射出成形部として把手を含む請求項８に記載の密封装置。
【請求項１４】
前記外側枠が前記射出成形外側部材の一体実質的同質重合体／共重合体射出成形部として把手を含む請求項９に記載の密封装置。
【請求項１５】
開口を規定する実質的開口枠と、前記開口を密封装置および枠の閉鎖位置において実質的に閉鎖するサイズおよび構成の密封装置と、前記密封装置および開口の相対的枢動を生じる枢支手段と、枠および密封装置組み立て中に、枢支ピンおよび枢支ピン開口のうちの一方の軸が共通枢軸からずれている第１の位置から、前記枢支ピン、枢支ピン開口および共通枢軸が実質的に同軸である第２の位置へ、前記枢支ピンおよび枢支ピン開口を相対的に案内する手段とを備え、前記枢支手段が枢支ピン開口内に、共通枢軸を中心に相対的枢動を生じる枢支ピン端部を有する少なくとも１つの枢支ピンを含み、前記枢支ピンおよび枢支ピン開口が前記密封装置および枠のうちの一方によって１つずつ担持されている、枠および密封装置結合体。
【請求項１６】
前記案内手段が案内面手段を含む請求項１５に記載の枠および密封装置結合体。
【請求項１７】
前記案内手段が互いに離間並列関係で配置された案内面手段を含む請求項１５に記載の枠および密封装置結合体。
【請求項１８】
前記案内手段が、前記第１の位置から前記第２の位置への相対移動中に、前記枢支ピン開口への前記ピン端部の移動を案内する案内経路を規定する、互いに離間並列関係で配置された案内面手段を含む請求項１５に記載の枠および密封装置結合体。
【請求項１９】
前記案内手段が、前記第１の位置から前記第２の位置への相対移動中に、前記枢支ピン開口への前記ピン端部の移動を案内する収束案内経路を規定する、互いに離間並列関係で配置された案内面手段を含む請求項１５に記載の枠および密封装置結合体。
【請求項２０】
前記密封装置および枠が前記それぞれ枢支ピンおよび枢支ピン開口を含む請求項１５に記載の枠および密封装置結合体。
【請求項２１】
前記密封装置および枠が前記それぞれ枢支ピンおよび枢支ピン開口を含むとともに、前記枠が前記案内手段を含む請求項１５に記載の枠および密封装置結合体。
【請求項２２】
前記案内手段が前記枢支ピン開口を含む案内部材と、前記案内部材が担持される前記密封装置および枠のうちの前記一方に対して前記案内部材を位置配向する手段とにより規定される請求項１５に記載の枠および密封装置結合体。
【請求項２３】
前記案内手段が前記枢支ピン開口を含む案内部材と、前記案内部材が担持される前記密封装置および枠のうちの前記一方に対して前記案内部材を位置配向する手段とにより規定されるとともに、前記位置配向手段が前記１つの密封装置および枠のうちの一方の表面と、唯一の動作案内位置で噛合する前記案内部材の表面とにより規定される請求項１５に記載の枠および密封装置結合体。
【請求項２４】
前記枠が前記案内手段を含む請求項１５に記載の枠および密封装置結合体。
【請求項２５】
前記枠が前記案内手段を含む請求項１５に記載の枠および密封装置結合体。
【請求項２６】
前記枠が前記案内手段を含む請求項１９に記載の枠および密封装置結合体。
【請求項２７】
前記案内手段が互いに離間並列関係で配置された案内面手段を含む請求項２２に記載の枠および密封装置結合体。
【請求項２８】
前記案内手段が互いに離間並列関係で配置された案内面手段を含む請求項２２に記載の枠および密封装置結合体。
【請求項２９】
前記案内手段が、前記第１の位置から前記第２の位置への相対移動中に、前記枢支ピン開口への前記ピン端部の移動を案内する収束案内経路を規定する、互いに離間並列関係で配置された案内面手段を含む請求項２２に記載の枠および密封装置結合体。
【請求項３０】
前記案内手段が互いに離間並列関係で配置された案内面手段を含む請求項２３に記載の枠および密封装置結合体。
【請求項３１】
前記案内手段が、前記第１の位置から前記第２の位置への相対移動中に、前記枢支ピン開口への前記ピン端部の移動を案内する案内経路を規定する、互いに離間並列関係で配置された案内面手段を含む請求項２３に記載の枠および密封装置結合体。
【請求項３２】
前記案内手段が、前記第１の位置から前記第２の位置への相対移動中に、前記枢支ピン開口への前記ピン端部の移動を案内する収束案内経路を規定する、互いに離間並列関係で配置された案内面手段を含む請求項２３に記載の枠および密封装置結合体。
【請求項３３】
対向端面と前記対向端面間の外側周面とにより規定される案内部材本体と、前記対向端面間に延びる開口を規定する前記案内部材本体の内側周面と、前記開口の軸に対して位置ずれした第１の位置からおよびそこから外へ、前記開口軸と実質的同軸位置合わせされた第２の位置へ移動する要素を案内する手段とを備える、第１の未組み立て位置から前記第１および第２の要素がそれぞれ実質的に軸位置ずれしたおよび実質的に同軸である第２の組み立て位置へ相対的移動可能要素を組み立てるのに適した案内部材。
【請求項３４】
前記案内手段が実質的に前記開口と前記外側周面との間に位置する請求項３３に記載の案内部材。
【請求項３５】
前記案内手段が互いに離間並列関係で配置された案内面手段を含む請求項３３に記載の案内部材。
【請求項３６】
前記案内手段が互いに離間並列関係で配置された案内面手段を含むとともに、前記案内面手段が前記開口に向かって収束する案内経路を規定する請求項３３に記載の案内部材。
【請求項３７】
前記案内部材本体を前記案内部材本体が取り付けられる要素に対して位置配向する手段を含む請求項３３に記載の案内部材。
【請求項３８】
前記案内部材本体を前記案内部材本体が取り付けられる要素に対して位置配向する手段を含むとともに、前記位置配向手段が前記外側周面の位置決め表面部により規定される請求項３３に記載の案内部材。
【請求項３９】
前記案内部材本体を前記案内部材本体が取り付けられる要素に対して位置配向する手段を含み、前記位置配向手段が前記外側周面の位置決め表面部により規定されるとともに、前記位置決め表面部がスロットおよびリブのうちの１つである請求項３３に記載の案内部材。
【請求項４０】
前記案内部材本体を前記案内部材本体が取り付けられる要素に対して位置配向する手段を含み、前記位置配向手段が前記外側周面の位置決め表面部により規定されるとともに、前記位置決め表面部が、前記外側周面を介して外側に開口するスロットおよび前記外側周面の外側に突出するリブのうちの１つである請求項３３に記載の案内部材。
【請求項４１】
前記案内部材本体を一要素の開口内にスナップ固定する手段を含む請求項３３に記載の案内部材。
【請求項４２】
前記案内部材本体を一要素の開口内にスナップ固定する手段を含むとともに、前記スナップ固定手段が一対の係止部材により規定される請求項３３に記載の案内部材。
【請求項４３】
前記案内部材本体を前記案内部材本体が取り付けられる要素に対して位置配向する手段を含む請求項３４に記載の案内部材。
【請求項４４】
前記案内部材本体を前記案内部材本体が取り付けられる要素に対して位置配向する手段を含むとともに、前記位置配向手段が前記外側周面の位置決め表面部により規定される請求項３４に記載の案内部材。
【請求項４５】
前記案内部材本体を前記案内部材本体が取り付けられる要素に対して位置配向する手段を含み、前記位置配向手段が前記外側周面の位置決め表面部により規定されるとともに、前記位置決め表面部がスロットおよびリブのうちの１つである請求項３４に記載の案内部材。
【請求項４６】
前記位置決め表面部がスロットである請求項４９に記載の案内部材。
【請求項４７】
前記案内部材本体を前記案内部材本体が取り付けられる要素に対して位置配向する手段を含む請求項３５に記載の案内部材。
【請求項４８】
前記案内部材本体を前記案内部材本体が取り付けられる要素に対して位置配向する手段を含むとともに、前記位置配向手段が前記外側周面の位置決め表面部により規定される請求項３５に記載の案内部材。
【請求項４９】
前記案内部材本体を前記案内部材本体が取り付けられる要素に対して位置配向する手段を含み、前記位置配向手段が前記外側周面の位置決め表面部により規定されるとともに、前記位置決め表面部がスロットおよびリブのうちの１つである請求項３５に記載の案内部材。
【請求項５０】
前記案内部材本体を一要素の開口内にスナップ固定する手段を含む請求項３５に記載の案内部材。
【請求項５１】
成形合成重合体／共重合体プラスチック材料で形成された第１の枠と、ガラスアセンブリと、前記ガラスアセンブリを前記第１の枠に接着する接着する手段と、前記ガラスアセンブリの第２の側に隣接して位置する第２の枠と、前記第１および第２の枠を互いにスナップ固定する手段とを備え、
前記第１の枠が周壁と、それぞれ内側および外側終端縁で終端する相対的に離間された内向突出内側および外側壁とにより規定され、前記内側および外側壁終端縁がそれぞれ内側および外側開口を規定し、前記内側開口が前記外側開口より大きく、
前記ガラスアセンブリが、前記内側開口の軸に実質的に平行な経路に沿って前記内側開口を通過するサイズであるが、前記外側開口を通過するには大き過ぎるサイズの周縁を有し、前記ガラスアセンブリが前記第１の枠外壁に隣接して位置する構造ユニット。
【請求項５２】
前記第２の枠を前記ガラスアセンブリに接着する第２の手段を含む請求項５１に記載の構造ユニット。
【請求項５３】
前記接着手段が前記ガラスアセンブリを前記第１の枠外壁に接着する請求項５１に記載の構造ユニット。
【請求項５４】
前記第２の枠が内側および外側周縁部を含むとともに、前記スナップ固定手段が前記第２の枠外側周縁部を前記第１の枠にスナップ固定する請求項５１に記載の構造ユニット。
【請求項５５】
前記接着手段が前記ガラスアセンブリを前記第１の枠外側壁に接着する請求項５２に記載の構造ユニット。
【請求項５６】
前記第２の枠が内側および外側周縁部を含むとともに、前記スナップ固定手段が前記第２の枠外側周縁部を前記第１の枠にスナップ固定する請求項５２に記載の構造ユニット。
【請求項５７】
前記第２の枠が内側および外側周縁部を含むとともに、前記スナップ固定手段が前記第２の枠外側周縁部を前記第１の枠にスナップ固定する請求項５３に記載の構造ユニット。
【請求項５８】
外側多角形開口より大きい内側多角形開口と、前記外側開口より大きいが前記内側開口より小さい周縁部を有する多角形ガラスユニットと、内側および外側周縁部を有する内側多角形環状枠とを有する多角形環状外側枠を設けるステップと、前記ガラスユニットを前記より大きい開口を介して前記外側枠内に挿入するステップと、前記ガラスユニット周縁部と前記外側枠とを互いに接着させるステップと、前記内側枠の前記内側周縁部を前記ガラスユニットに接着させるステップと、前記接着ステップの実行中に用いられる接着材料の固化／硬化に伴って、十分な周囲力で前記内側枠の前記外側周縁部を前記外側枠に固定させて、前記内側および外側枠を実質的に不動にするステップとを含む、密封装置を製造する方法。
【請求項５９】
前記外側枠が単一の実質的同質重合体／共重合体射出成形部材である請求項５８に記載の方法。
【請求項６０】
前記外側枠が把手を含む単一の実質的同質重合体／共重合体射出成形部材である請求項５８に記載の方法。
【請求項６１】
前記外側部材が周壁と周囲境界とを含み、前記後者がより小さい開口を規定するとともに、前記ガラスユニット周縁部が前記外側枠周囲境界に接着されている請求項５８に記載の方法。
【発明の詳細な説明】
【技術分野】
【０００１】
本発明は中に製品が陳列され、視認され、選択され、そして購買される、セルフサービスマーケット、店舗および他の施設で用いられる製品陳列キャビネットまたはケースに関する。このような陳列キャビネットは概して外気温度未満で動作する。通例このような陳列キャビネットは１つまたは複数のガラスパネル張りドアを含み、ドアを介して陳列ケースの内部区画内の棚上の製品が視認可能である。
【背景技術】
【０００２】
通例このような陳列キャビネット用の密封装置またはドアは、互いに実質的に平行並列離間関係で配置された複数のガラス窓枠で構成された断熱ガラスユニットまたはアセンブリを含む。通常スペーサがガラス窓枠を互いに離間した状態で維持するとともに、周囲シールがアセンブリを結合ガラスユニットに一体化する。このようなガラスユニット用のドア枠は従来から多様な方法で形成されている。１９７２年７月４日にウィンスラー（Ｗｉｎｓｌｅｒ）らに発行された（特許文献１）によれば、ドア枠はアルミニウムまたはある他の適当な金属で作製された複数の直交関係押し出し成形品から作製される。１つの特定な押し出し成形品から切り取られた４つの片は角部で留め継ぎされるとともに溶接されて外側枠部材を形成し、同様に異なる押し出し成形品の４つの片が内側枠部材を形成するが、両方とも概して開口多角形環状構成である。明らかにこのようなドア枠は、金属の高熱伝導率のため冷蔵保存陳列ケースでの使用に望ましくない。最近では金属枠は冷蔵保存陳列ケース用の陳列ドアと関連して依然として用いられているが、成形、伸張、または押し出しプラスチック材料で形成された断熱バリア部材が断熱ガラスユニットに対して配置されて効率を増しているが、それはバリア部材が比較的低い熱伝導率を有するためである。しかし従来の周囲ガスケット部材の使用を無視すると、このような陳列ドアはなお、角部で留め継ぎされるとともに互いに溶接された押し出し金属の４つの片で作製された金属ドア枠を用いており、その結果熱伝導帯率は低下したが製造コストが上昇した。（特許文献２）で１９９９年６月８日にリチャードソン（Ｒｉｃｈａｒｄｓｏｎ）らに付与された特許に開示されているような、高分子材料で形成された冷蔵保存ドアの場合でも、上部、下部および側部レール要素は角部で留め継ぎされるとともにそこで接着により一体化され、概して多角形環状ドア枠を形成している。しかし従来の断熱陳列キャビネットドアなどの大部分はその製造および組み立て非常に複雑であり、卸売りおよび小売レベル共にドア当たりの価格が比較的高くなる。
【０００３】
冷蔵保存陳列キャビネット用の従来のドアは概して、関連する陳列キャブネットのドア枠内の枢動開口に進入する上部および下部外側ばね付勢枢支ピンも担持している。断熱ドアは比較的重く、特に枢支ピンが比較的高い付勢力下にある場合、枢支ピンを枢動開口内に位置合わせして挿入することが困難である場合がある。
【０００４】
【特許文献１】米国特許第３，６７３，７３５号明細書
【特許文献２】米国特許第５，９１０，０８３号明細書
【特許文献３】米国特許第４，３８２，１７７号明細書
【特許文献４】米国特許第４，１２７，７６５号明細書
【特許文献５】米国特許第６，７２２，０８３Ｂ２号明細書
【発明の開示】
【発明が解決しようとする課題】
【０００５】
本発明は新規の陳列キャビネットに関し、特に４つの主要構成要素、すなわち外側多角形環状枠部材、断熱ガラスユニット、内側多角形環状枠部材および内側多角形周囲シールにより規定される密封装置またはそのドアに関する。
【課題を解決するための手段】
【０００６】
本発明によれば外側多角形環状枠部材は単一の実質的同質重合体／共重合体射出成形部材であり、内側多角形環状枠部材も同様である。内側および外側多角形環状枠部材の後者の構成は、熱伝導率を絶対最小値まで低下させることにより、以下にさらに明らかになるように製造および組み立て共に高効率且つ比較的安価である陳列ドアを作製する。
【０００７】
つまり１片の射出成形重合体／共重合体外側枠またはベゼルは、放射状内向き内側および外側境界部またはフランジならびにそれらの間の周壁により規定され、内側および外側フランジがそれぞれより大きいおよびより小さい多角形開口を区切る。断熱ガラスユニットも多角形であるとともに、外側枠の内側開口を通過することができるが外側枠の外側開口を通過することができない周囲サイズである。このように外側枠に挿入された場合、断熱ガラスユニットの外側周面と外側枠の外側フランジとの間の接着剤の周囲ビードはそれらを効果的に接着する。接着剤の第２のビードはＩＧガラスユニットの内側周面を内側枠の内側周縁に周囲接着する一方で、内側枠の最外縁部は外側枠のフランジにスナップ固定されて、２つの接着ビードの硬化／固化に伴って構成要素を組み立て状態に強力に保持する。このようにして陳列ドアのドア枠は、各々低熱伝導率を有する重合体／共重合体材料から射出成形された２つの主要材料片のみで作製されるとともに、２つの周囲接着ビードおよび内側および外側枠間の非常に強力な周囲スナップ接続の利用により、ＩＧユニットは２つのビードの接着剤が硬化／凝固するまで堅固に保持される。
【０００８】
後者の構成は別体の締結具などの外部構成要素なしに比較的短い時間内での組み立てという平易性を提供するとともに、最低限の主要構成要素、すなわち１片の射出成形外側枠と、１片の射出成形内側枠と、ガラスユニットと封止部材とにより規定される４つの構成要素を用いる。組み立て中に塗布される接着剤の２つのビードのみが構成要素を一緒に固着させて、比較的安価且つ長持ちする断熱陳列ドアを提供する。
【０００９】
説明した陳列ドアは、陳列キャビネットドア枠の上下部壁内の開口と関連する本発明の枢支ピン案内および位置決め部材内で係合する、陳列ドアの上下部角部で外側に付勢された実質的に軸位置合わせ関係の一対の従来の枢支ピンも含む。ドア枠内の各開口は、各枢支ピンを案内／位置決め部材の枢動開口内に案内する案内手段を含む案内および位置決め部材を内部に正確に位置的に配置する特定の構成である。各枢支ピンおよび案内または位置決め部材は１つの位置だけで陳列ドア枠に接続することが可能であり、各陳列ドアは各枢支ピンを案内またはガイド部材の案内面間で、各々関連する案内部材枢支ピン開口内に案内することにより、各陳列ドアが陳列キャビネットに対して確実に適正に枢着されるようにすることにより容易且つ正確に組み立てることができる。
【００１０】
上記および以下に明らかになる他の目的を念頭において、以下の詳細な説明、添付の特許請求の範囲および添付の図面に図示されたいくつかの図を参照することより、本発明の本質はより明確に理解されよう。
【発明を実施するための最良の形態】
【００１１】
新規の冷蔵陳列キャビネット、ケース、ウォークイン等が図面の図１に完全に図示されているとともに概して参照番号１０により示されている。
【００１２】
陳列キャビネット１０は例えば製造後にセルフサービスの店、マーケットまたは同様な施設に出荷され、腐敗しやすい食料品が棚（図示せず）に保存される内蔵冷蔵ユニットであってもよく、または陳列キャビネット１０はキャビネット１０を使用場所で組み立てることができるいわゆるビルトインであり得る。いずれの場合も陳列キャビネット１０は、従来の冷却システム（図示せず）により外気温度未満に維持されている内部製品区画またはチャンバ１５を集合的に規定する、上壁１１（図１）と、１つのみ示されている対向する実質的に平行な側壁１２と、下壁と、後壁（図示せず）とを含む。
【００１３】
陳列キャビネット１０の前面は、前面から見て概して多角形構成であるドア枠およびドアアセンブリ２０を含むとともに、開口（番号が付けられていない）を規定しており、開口は複数の実質的に水平に離間した垂直マリオン（ｍｕｌｌｉｏｎ）２７によって複数の個々の開口Ｏにさらに分割されている。ドア枠およびドアアセンブリ２０のドア枠３０は、複数のＩＧガラスパネルドア２１〜２５を内部に枢着しており、各々本発明により同等に構成されているとともに、各々上部および下部垂直枢支ピン２６（図５）を含み、各ピンは枠３０の上部および下部水平押出金属枠部材３１、３２（図１および６〜８）に対して各ドア２１〜２５を枢動し、枠３０は垂直押出金属端枠部材３３および、図面の図１内に図示されているマリオン２７に対応する３つのさらなる実質的に同等な垂直マリオン（図示せず）も含む。枠部材／マリオン３１〜３４および２７の最内向壁（番号が付けられていない）は、１つの開口Ｏが各ドア２１〜２５と関連する５つのアクセス開口Ｏを仕切り、各ドア２１〜２５を介して区画１５内の製品が視認およびアクセスできる。
【００１４】
陳列ドア２１〜２５が同等であるため、陳列ドア２５およびその組み立て／製造方法の以下の説明は陳列ドア２１〜２４に同等に適用可能であると考える。
【００１５】
陳列ドア２５（図面の図２、３および４）は外側多角形環状枠４０と、接合または接着材の多角形ビード６０と、ＩＧ（断熱ガラス）ユニットまたはアセンブリ７０と、接合材または接着剤の他の多角形ビード８０と、内側環状多角形枠９０と、内側多角形封止部材１２０とを含む。
【００１６】
本発明に対して主に重要であるのは、その把手Ｈ（図１および２）を含む外側多角形環状枠４０が、従来冷蔵陳列キャビネットＩＧドア内には装備されていない、単一の実質的同質射出成形重合体／共重合体部材として形成されているという事実である。同等に重要であるのは、内側環状多角形枠９０も単一実質的同質射出成形重合体／共重合体部材として形成されているという事実である。２つの枠４０、９０の後者の構造および特定の周壁ならびに互いに対するおよびＩＧユニット７０に対するその相対寸法のため、陳列ドア２５は基本的に３片構造、すなわち以下により具体的に説明するように周囲ビード６０、８０の有利な箇所によって想像的堅固に接着された両枠４０、９０およびＩＧユニット７０である。
【００１７】
陳列ドア２５の外側多角形環状枠４０（図３および４）は周壁４１および、内向きであるとともに多角形構成の外側多角形開口Ｏｏを規定する最外または外側境界部またはフランジ４２を含む。外側枠４０は、周壁４１から内側に突出するとともに多角形内側開口Ｏｉを規定する内側または最内境界部またはフランジ４３をさらに含み、開口Ｏｉはフランジ４２により規定される外側多角形開口Ｏｏより大きさがかなり小さい。周壁４１および内向境界部またはフランジ４２、４３は、内向開口周囲延長チャンバ４５を規定し、その内部に周囲延長強化リブ４６が内部突出する。周壁４１の周囲終端壁部４７は、周囲終端面または表面４８で終端するとともに、実質的平行周壁５０と共に連続内向開口周囲溝５１を規定する。周壁４３は終端周囲端壁部５２、およびその外側に協働スナップ固定手段５５（図４）を部分的に規定する周囲延長係止面または表面５３も含み、手段５５は以下により完全に説明するように内側多角形環状枠９０と関連する。
【００１８】
陳列ドア２５の組み立て中、接着ビード６０（図２、３および４）はフランジ４２の内面（番号が付けられていない）にもしくはＩＧユニットまたはアセンブリ７０に、図面の図３から明らかであるような方法で塗布される。接着ビード６０の接着剤は急速凝固、硬化または乾燥し（１時間以内に）、それは以下により完全に説明するように組み立ての目的のため非常に望ましい。
【００１９】
断熱ガラスユニットまたはアセンブリ７０も従来の構成であるとともに、２つ、３つまたはさらに多くの強化ガラスを含むことが可能であり、それは例えば実質的に離間平行関係で配置されるとともに、従来よりガラス片７１、７２；７２、７３に適正に接合および封止されて気密なＩＧユニットまたはアセンブリ７０を作製するスペーサ７４、７５によってそこで保持された強化ガラス片７１、７２および７３であり、ユニットまたはアセンブリ７０はその１つまたは複数の表面上に、例えば１９８３年５月３日にジェームスＪ．ヒーニー（Ｊａｍｅｓ  Ｊ．Ｈｅａｎｅｙ）に与えられるとともに１９９５年１２月１２日にＲＥ第３５，１２０号で再発行された（特許文献３）に記載されているような、従来の赤外線反射可視光透過コーティングを含み得る。
【００２０】
強化ガラス片７１、７２および／または７３の１つまたは複数の内側表面（番号が付けられていない）は、１９７８年１１月２８日にジェームスＪ．ヒーニー（Ｊａｍｅｓ  Ｊ．Ｈｅａｎｅｙ）に与えられた（特許文献４）に開示された方法で、凝縮を低減／排除するためのガラス片７１〜７３のうちの１つの表面上の導電性コーティングに導電的に接合された金属再片電極を含み、および／または外側枠４０に関連する加熱要素を含み得る。断熱ガラスユニット７０は形状が開口ＯｏおよびＯｉの形状に対応する外部周囲多角形表面７６を含むが、周囲寸法は周囲表面７６の長さおよび幅の両方において外側枠４０のフランジ４２の開口Ｏｏの同様な寸法より大きいが、外側枠４０のフランジ４３の開口Ｏｉの寸法より小さい。後者の寸法の関数は（特許文献５）で２００４年４月２０日に与えられたハーマン（Ｈｅｒｒｍａｎｎ）らの同一出願人による特許に開示されている。後者の特許により具体的に説明されるとともに図３で明らかであるように、以下により完全に説明するように陳列ドア２５の組み立て時に、断熱ガラスユニット７０の周囲表面７６の設計によって断熱ガラスユニット７０は図３に見られるように下方に、周囲フランジ４３の開口Ｏｉを介して外側枠４０のチャンバ４５内へと図４に示す位置へ案内されて、接着ビード６０が外側フランジまたは境界４２の内側表面（番号が付けられていない）を外側ガラス片７１の外側表面（番号が付けられていない）に接合した状態になる。
【００２１】
接着ビード８０（図３および４）は、内側多角形環状枠９０の内側表面（番号が付けられていない）をガラス片７３の外側表面（番号が付けられていない）に接合する。特に内側枠９０は第１の最内多角形周囲部９１と、中間周壁部９２と、最外周囲部９３とを含み、最外周囲部９３は外側枠４０の終端壁部４７の端面４８に対して、密接支持周囲封止関係の面または表面９５を有する外向周囲終端壁部９４内で終端する。最内周壁部９１は、間に内向分岐周囲溝９８を規定する２つの内向する相対的に離間された周囲脚部９６、９７を含む。周囲脚部９６はＩＧユニット７０のガラス片７３の外側表面（番号が付けられていない）と密封係合して、図４に見られるように接着ビード８０の接着または接合材の左側の脱出を不可能にするとともに、基本的に図４に見られるように位置する接着剤８０を保持する。内側枠９０の最外周壁部９３は、２つの外向周壁部またはフランジ１００、１０１を含み、その後者は外側枠４０の内向周囲溝５１内に位置するとともに、図４で容易に明らかであるようにフランジ４３の周壁５０とその２つの表面（番号が付けられていない）に沿って表面同士接触でぴったり係合する。
【００２２】
周囲フランジ１００は段差があるとともに、最内壁部１０２と、傾斜中間壁部１０３と、最外壁部１０４とを含む。壁部１０４、１０３はそれぞれの最外周囲延長表面１０５、１０６を含み、表面１０５、１０６は集合的に、周囲フランジ１００が図４に示すようなその完全組み立ておよび着座位置に到達するまで、周囲フランジ１００を外側枠４０の周囲フランジ４３の開口Ｏｉ内におよび中に積極的に案内する周囲案内面を規定している。周囲フランジ１００の周囲端部１０４の案内面１０５が開口Ｏｉの寸法より小さい周囲寸法である一方で、周囲案内面１０６はスナップ固定手段５５の第２の部分を形成するスナップ係止周囲鼻部１１０に到達するまで周囲サイズが徐々に増加し、スナップ固定手段５５は最終的には十分な力で外側枠４０の周囲フランジ４３の係止面または表面５３と密接に係合して、それぞれ外側および内側枠４０、９０のプラスチック材料の相当に高弾性力で、特にそのそれぞれの周壁部４３、１０２の間に生成された力で、外側枠４０のフランジまたは境界４２および内側枠９０を互いの方向に引っ張る。この周囲力は特に外側枠４０のフランジ４２と内側枠９０の最内周壁部９１とを引っ張ってそれぞれのガラス片７１、７３の外側表面（番号が付けられていない）と強力に密着させ、それぞれ接着ビード６０、８０を圧迫し、接着ビード６０、８０の接着剤が硬化または凝固すると、すべての対向周囲表面と密着して非常に強固な接合を生成する。それによりスナップ固定手段５５は自動的に非常に強固または強力な締め付け力を生じ、その力は従来のクランプ、万力等をしないで構成要素４０、７０、９０を組み立て状態に保持するとともに、内側多角形封止部材１２０をそれに付加することにより非常に迅速且つ容易に完全に組み立てられる場合、陳列ドア２５を、接着ビード６０、８０が付加された直後であってその硬化よりはるか前に出荷することが可能であり、それにより梱包および出荷を迅速に且つ安価に継続することができる。特に外側および内側枠４０、９０とガラスユニット７０との間、すなわち表面４８、９５において、６つの周囲接触領域、周壁５０、１０１間の２つの表面接触、フランジ４３の終端周壁部５２と、フランジ部１０２の隣接周囲表面および内側枠の中間周壁部９２の各々との間の２つの周囲表面接触、ならびに脚部９６とガラス片７３の外側表面との間の表面接触があることに留意しなければならない。後者の６つの接触周囲表面はドア全体を、周囲表面または面４８、９５（図４）間の非常に気密な封止の形成を始めとして非常に頑健且つ堅固に一体化させ、チャンバ４５を大気に対して実質的に封止するとともにチャンバ４５内への外気の進入を低減することにより、陳列ケース１０に関連する場合は冷却効率を増す。
【００２３】
内側枠９０の外側周壁部９３は、間に周囲スロット１１５と幅広周囲チャンバ１１６とを規定する対向鼻部１１３、１１４で終端する２つの内向周囲フランジ１１１、１１２を含み、周囲スロット１１５と幅広周囲チャンバ１１６とは内側多角形封止部材または封止手段１２０に関して以下により完全に説明されるような方法で機能する。
【００２４】
内側多角形封止部材または封止手段１２０は、最内または内側周壁部１２１と、中間周壁部１２２と、外側または最外周壁部１２３とを含む。内側周壁部１２１は、内側枠９０の内側周壁部９１の溝９８内に受容される外側に収束する外向周囲鼻部１２４を含むとともに、ガラス片７３の外側表面（番号が付けられていない）に密接に係合してそこに美的外観を提供する周囲封止縁１２５も含む。内側多角形封止部材１２０の対向外側周壁部１２３は、概してＴ形状の横断面の周囲外向固定フランジ１２６を含み、そのアーム１２７、１２８はそれぞれ鼻部１１３、１１４の下側に対して弾性係止係合して、内側多角形封止部材１２０を内側枠９０に密着固定状態に保持する。内側多角形封止部材１２０の中間部１２２は、弾性周壁１３１、１３２により規定される中空チャンバ１３０を含み、周壁１３１、１３２は断面が実質的に多角形である従来の磁気手段１３５を収容する他の環状チャンバ１３４を併合するとともに規定し、比較的平坦な周壁部１３６が従来の方法で、枠３０の様々な金属枠部材およびマリオン２７、３３（図１）に対してドア２１〜２５を磁力により閉じた状態に磁気的に固定する。
【００２５】
陳列ドア２５および残りの陳列ドア２１〜２４の各々は、左手または右手開放であり得るとともに、各場合ドアの上下角部（番号が付けられていない）には従来の枢支手段１５０（図５〜８）が設けられており、枢支手段１５０は従来よりトーションロッドまたはトルクロッド１５１と、枢支ピン２６と、常に枢支ピン２６の正方形ピン端部１５４を周壁４１（図８）内の開口１５５を介して外側枠４０の外側に付勢するばね１５３とを含み得る。これまで説明した枢支手段または枢支アセンブリ１５０は比較的従来のものであるが、本発明に合わせて各枢支ピン端部１５４に関連して、それぞれ上下枠部材３１、３２の各々内の開口１６１（図１２）内にスナップ固定され、ピン端部１５４を案内手段１６０の多角形または長方形開口１６２内に案内位置決めして枠３０に対する各陳列ドア２１〜２５の組み立てを容易にする枢支ピン案内および位置決め手段１６０がある。
【００２６】
案内部材１６０は上表面１７０（図９）と、対向下表面１７１（図１０）と、互いに対して段差がある外側周囲表面１７２、１７３とを含み、表面１７２は表面１７３より大きいことにより周囲フランジ１７４を規定している。フランジ１７４は正反対開口スロット１７５により遮断されるとともに、それと位置合わせされているのは対向弾性係止脚部、突起または鼻部１７６である。より小さい周囲表面１７３にはスロット１７７が設けられており、スロット１７７は開口１６１内に突出する関連する枠３１のタブ１７８と係合または連結することにより、各案内部材１６０をその関連する開口１６１（図１２）と適正に位置決めする位置配置手段を部分的に規定する。説明した以外、タブ１７８を含む開口１６１（図１２）の構成は周囲表面１７３、および各案内部材１６０を唯一の特定位置で枠３０の関連開口１６１内にスナップ留めすることができるようにするスロット１７７の構成を実質的に映している。特定の位置は、案内面１８１、１８２を収束させることにより規定された案内経路１８０が、陳列キャビネット１０および／またはその区画１５の内部に向かう方向に収束するようにものである。係止突起１７６、１７６は開口１６１の両側で枠３１とスナップ係合して、案内手段１６０を各関連開口１６１（図７および１２）内に確実に固定する。
【００２７】
陳列ドア２５を枠３０に対して組み立てるために案内部材１６０のうちの１つが、それぞれの水平枠部材３１、３２内に垂直位置合わせ関係で配置されている開口１６１の各々内にスナップ固定される。手段１７７、１７８（図１２）により設けられた単一位置配置のため各案内部材１６０は、案内経路または案内面１８０が陳列キャビネット１０の内部に向かって収束するだけでなく、多角形開口１６２に向かって収束するとともに終端するように配置される。陳列ドア２５が実質的に垂直である状態で、その下部ピン端部（図示せず）を案内経路１８０に沿って多角形穴１６２内に容易に案内することができる。従来技術のこれまでに提示されていないより困難な問題は、上部枢支ピン２６の上部ピン端部１５４を上部案内部材１６０の多角形開口１６２内に案内することである。しかし案内面１８１、１８２が多角形開口１６２（図６）から比較的幅広く離れているため、ピン端部１５４は案内面１８１、１８２間に容易に案内されるとともに、前方に押されると、後者表面は枢支ピン端部１５４を開口１６２と位置合わせするように案内し、その時点でばね１５３（図８）は枢支ピン２６を上方に付勢して枢支ピン端部１５４を開口１６２（図８）内に促す。収束案内面１８１、１８２間の距離にわたる壁１８３（図９）は非常に薄く、ピン端部１５４を薄壁１８３の入口縁（番号が付けられていない）を超えて枢支ピン開口１６２に向けて押すことに対してほとんど問題は提示されない。薄壁または表面１８３の前部の厚さは図１０に最も良好に図示されているとともに、必要であれば全体で案内面１８１、１８２を維持しつつ、周壁１７２、１７３間のその部分を除去することができる。代替的には他の案内部材１６０’の同等表面または壁１８３’を、図１１に示すようにその外側縁（番号が付けられていない）から内側に枢支ピン開口１６２’に向かって上方に徐々に先細にすることにより、枢支ピン１５４が案内経路１８０’に沿った導入時にばね１５３を徐々に圧縮し、ばね１５３により生じる力の増加のため枢支ピン１５４は開口１６２’への進入時により容易に進入できる。
【００２８】
本発明の好適な実施形態を具体的に図示するとともに本明細書に説明したが、添付の特許請求の範囲により規定されるような本発明の要旨と範囲とから逸脱することなく装置に軽微な変更を行い得ることは理解されよう。
【図面の簡単な説明】
【００２９】
【図１】正面斜視図であるとともに、複数の断熱ガラスドアと、ドア枠と、数本の垂直マリオンの１つと、製品が収容および陳列されるキャビネットの内部または内部チャンバとを含む陳列キャビネットを図示する。
【図２】図１の陳列ドアの各々を製造するために用いられる構成要素の分解斜視図であるとともに、右から左へ多角形環状外側枠と、接触剤の多角形ビードと、断熱ガラスユニットまたはアセンブリと、接着剤の他の多角形ビードと、多角形環状内側枠と、多角形封止部材とを図示する。
【図３】図２の未組み立て構成要素を介する断片的分解断面図であるとともに、その断面構成と構成要素の相互関係をより具体的に図示する。
【図４】図１の陳列ドアのいずれかおよび完全に組み立てられた図３の陳列構成要素を通る拡大断面図であるとともに、組み立てられた関係の構成要素を図示する。
【図５】陳列ドアの１つの角部の断片的斜視図であるとともに、そこから上方に突出する枢支ピンを図示する。
【図６】図１の陳列キャビネット枠の右上角部の断片的斜視図であるとともに、枠部材の壁内に形成された開口内にスナップ固定された枢支ピン案内および位置決め部材を図示する。
【図７】図１の陳列キャビネットの右上角部の断片的正面立面図であるとともに、枢支ピン案内部材の枢支ピン開口内に配置された陳列ドアの枢支ピンを図示する。
【図８】概して図７の線８−８に沿った拡大断面図であるとともに、従来のばねが枢支ピンを枢支ピン案内部材の枢支ピン開口内に付勢する方法を図示する。
【図９】枢支ピンガイドまたは案内部材の上部斜視図であるとともに、枢支ピンを案内部材の枢支ピン開口内に向ける内向収束両側案内面により規定される案内経路を図示する。
【図１０】図９の案内部材の下部斜視図であるとともに、対向突出弾性締結突起と案内部材の本体の前方周面内の位置決めスロットとを図示する。
【図１１】他の案内部材の上部斜視図であるとともに、内向収束両側案内面間の内向および上向先細下部案内面を図示する。
【図１２】図６で上方を見ている断片的上部平面図であるとともに、案内部材の位置配置スロットと一致する内向突出位置決めタブにより部分的に規定される上部水平枠部材内の位置配置開口を図示する。
【符号の説明】
【００３０】
１０  陳列キャビネット
１１  上壁
１２  側壁
１５  区画またはチャンバ
２０  ドア枠およびドアアセンブリ
２１〜２５  ＩＧガラスパネルドア
２６  枢支ピン
２７  マリオン
３０  ドア枠
３１〜３４  枠部材／マリオン
４０  外側多角形環状枠
４１  周壁
４２  外側境界部またはフランジ
４３  最内境界部またはフランジ
４５  内向開口周囲延長チャンバ
４６  周囲延長強化リブ
４７  周囲終端壁部
４８  周囲終端面または表面
５０  実質的平行周壁
５１  連続内向開口周囲溝
５２  終端周囲端壁部
５３  周囲延長係止面または表面
５５  スナップ固定手段
６０  接着ビード
７０  ＩＧ（断熱）ユニットまたはアセンブリ
７１、７２，７３  強化ガラス片
７４、７５  スペーサ
７６  外部周囲多角形表面
８０  接着ビード
９０  内側環状多角形枠
９１  内側周壁部
９２  中間周壁部
９３  最外周囲部
９４  外向周囲終端壁部
９５  面または表面
９６、９７  周囲脚部
９８  溝
１００、１０１  フランジ
１０２  最内壁部
１０３  傾斜中間壁部
１０４  最外端部
１０５  案内面
１０６  周囲案内面
１１０  スナップ係止周囲鼻部
１１１、１１２  内向周囲フランジ
１１３、１１４  対向鼻部
１１５  周囲スロット
１１６  幅広周囲チャンバ
１２０  内側多角形封止部材または封止手段
１２１  最内または内側周壁部
１２２  中間周壁部
１２３  外側または最外周壁部
１２４  外向周囲鼻部
１２５  周囲封止縁
１２６  周囲外向固定フランジ
１２７、１２８  アーム
１３０  中空チャンバ
１３１、１３２  弾性周壁
１３４  環状チャンバ
１３５  磁気手段
１３６  周壁部
１５０  枢支手段
１５１  トーションロッドまたはトルクロッド
１５３  ばね
１５４  枢支ピン端部
１５５  開口
１６０  枢支ピン案内および位置決め手段
１６０’  案内部材
１６１  開口
１６２  長方形開口
１６２’  枢支ピン開口
１７０  上表面
１７１  対向下表面
１７２、１７３  外側周囲表面
１７４  フランジ
１７５  正反対開口スロット
１７６  突起または鼻部
１７７  スロット
１７８  タブ
１８０  案内経路
１８０’  案内経路
１８１  収束案内面
１８２  収束案内面
１８３  薄壁または表面
１８３’  表面または壁
Ｈ  把手
Ｏ  開口
Ｏｉ  多角形内側開口
Ｏｏ  外側多角形開口
【図１】
2008080124.tif 000003
【図２】
2008080124.tif 000004
【図３】
2008080124.tif 000005
【図４】
2008080124.tif 000006
【図５】
2008080124.tif 000007
【図６】
2008080124.tif 000008
【図７】
2008080124.tif 000009
【図８】
2008080124.tif 000010
【図９】
2008080124.tif 000011
【図１０】
2008080124.tif 000012
【図１１】
2008080124.tif 000013
【図１２】
2008080124.tif 000014
【外国語明細書】
2008080124000001.pdf